(57)【要約】【課題】  使用頻度の高いＡ４用紙穿孔用パンチ具において小形でありながらガイドを調整不要の固定式にして作業性と位置決め精度の向上をはかる。  【解決手段】  正確な位置に穿孔できるよう穿孔部の左端から用紙の下部に亘る奥行きガイドと固定の下端ガイドとを備えてＡ４規格寸法用紙の高さ方向中心部に穿孔する２穴パンチ具。【選択図】  図１
2009285735.tif 000002
【特許請求の範囲】
【請求項１】
用紙の穿孔部の左端から用紙の下端に亘る固定横奥行きガイドと下端の固定縦方向ガイドを備えて一の規格寸法用紙の左側縦方向中心振り分けにファイリングのための２穴穿孔をするパンチ具。
【発明の詳細な説明】
【技術分野】
【０００１】
本発明は机上事務機器に係わり、特に頻度が高い小数枚の書類を穿孔しファイルする際にその使い勝手が良く正しい位置に確実に穿孔できるパンチ具に係わる。
【背景技術】
【０００２】
近年、国内での事務用紙とその収納システムはＡ４サイズ縦型への統合が進行している。そして机上で書類をファイルする際は必要に応じステープラーで綴じ、２穴パンチを用いて奥行きを揃え、上下方向中心位置決めをし、穿孔し、書類をファイルへ収納し、使用した道具類を元に戻す。    
多くの書類はＡ４縦型でファイルされるにもかかわらず毎回奥行きを揃え、中心位置決めをして穿孔している。機器によっては可動幅ガイドが付属していて各種寸法に対応して穿孔位置決めをする可変幅ガイドの備わっているものもあるが最多のＡ４サイズといえども毎回調整を必要としている。しかも奥行きの基準はパンチ構造から派生する左側８ｃｍピッチの凹所に依存しているので視認性が劣り精度が出しにくいため偶々上下芯ずれ、奥行き不足、傾斜などの穿孔位置不良が発生する。
【０００３】
そこで発明者はＡ４サイズ穿孔時は調整不要で用紙の左端全長と上下を規制し正しく位置決めして２穴穿孔する改善案として特願２００６−３４０８５０号によりパンチスタンドを提案した。この発明は机上設置してパンチする道具に関するものである。
【０００４】
【特許文献１】特願２００６−３４０８５０号  名称  パンチスタンド
【発明の開示】
【発明が解決しようとする課題】
【０００５】
前記特許文献には正確な位置決めを実現する装置が開示されているが構造上重く大きいため机上に置いたまま穿孔することが基本となる。他方最も使用頻度の高い１乃至５，６枚以下の書類を穿孔するには小型軽量で手元で２穴パンチできるものが望まれる。
【０００６】
すなわち片手に道具を持って手元へ持ち寄り調整不要の固定ゲージに合わせて他方の手に持った書類に穿孔出来れば便利である。
操作性を考慮すると筆箱程度の寸法、重さ以下に収めることが望まれる。
【課題を解決するための手段】
【０００７】
そこで発明者は前記特願２００６−３４０８５０号ではＡ４用紙縦方向を上下端で規制するので器具の基準になる縦長さ寸法が約３０ｃｍであったものに替えて下端のみで位置決めすることで（Ａ４縦長さの半分）プラス（パンチ穴間隔の半分）で約２０ｃｍに短縮することを発想し市場の小形２穴パンチに固定ガイドを装着して試作すると重さも数百グラムに収まり、寸法重量共に筆箱程度にできた。そして左手にパンチ具、右手に用紙を持って目視しながら穿孔することで位置決めの正確さと作業の容易性を両立出来た。
【０００８】
すなわち、パンチ具とＡ４用紙を鉛直気味に持ってパンチ具の紙載せ面と基台上部構造物間の数ｍｍの凹部隙間に用紙を前後に撓ませて剛性を向上させて安定させて前後のふらつきを緩く規制し差し込んでゆき、穿孔部の左端から用紙下端に亘る固定横奥行きガイドに用紙を押し当てながら下端の固定縦方向ガイドに当たるまで下方へずらして穿孔位置決めしてＡ４規格寸法用紙の左側縦方向中心振り分けにファイリング用２穴穿孔するパンチ具を用いることによって事務処理は改善する。
【発明の効果】
【０００９】
本発明によれば数枚の書類を読み終わり次第手元で正しい位置にパンチしファイルすることができるので書類が一時滞留することなく直ちに然るべきファイルに収納できて事務所の整理・整頓・清潔・清掃、更には効率向上に貢献できる。
【発明を実施するための最良の形態】
【００１０】
本発明の実施例を図面を用いて説明する。
図１は本発明のパンチ具１を示したものである。これは机上周辺部や引き出しに筆立てやステープラーの様に配置、収納される。
【００１１】
パンチ具１は一見従来の２穴パンチの手前側のみが伸長した形状をしている。鉄板プレス加工品で構成された基台２には直径６ｍｍ程度の穿孔孔４が二箇所貫通し、関連する上部構造物が装着されている。穿孔機構は従来通りであるがレバーアーム８を押し下げると支点ピン１７を中心にレバーアーム８が回動して押しピン１６を介して穿孔刃３をバネ５の付勢に対抗して穿孔孔４垂直に下降させて用紙を鋭利に穿孔する。
【００１２】
パンチごみはごみ収納部６に溜まり底蓋１８を外して排出される。握って穿孔する際に底蓋１８を変形させることなくレバーアーム８の反力を伝達できるようスペーサー１９がある。スペーサー１９は底蓋１８と一体に成型しても良いし基台２に接着しても良い。
【００１３】
Ａ４サイズ縦形ファイリングの幅は２１０ｍｍ、高さは２９７ｍｍであるのでパンチ時中心高さは１４８．５ｍｍであり標準の二孔間距離は８０ｍｍで下端ガイド部廻り構造、上側穿孔部廻り構造などでパンチ具全長は２２ｃｍ程度になる。図示するようにレバーアーム８の力点が紙の無い側の方式を採用すると幅は略６ｃｍになる。
【００１４】
穿孔時はＡ４用紙を紙載せ面１３に載せ前後に撓ませて用紙の剛性を向上させて安定させながら奥行きガイド１０に突き当てるまで紙を押し込みつつ下端を下端ガイド１１に接触させその状態を維持したままレバーアーム８を押し下げて穿孔する。従来のパンチ具ではセンターマーク１４が位置決め基準となっていたがここでは用紙の左下端と穿孔部付近での用紙の奥行きガイド１０への接触である。
【００１５】
机上水平置きのままでの穿孔時には用紙の自重と剛性の効果でガイド高さが十分あれば不要であるが手持ち穿孔時は用紙が鉛直気味になり安定性を欠くので紙載せ面１３の穿孔部から下端ガイド１１にかけては用紙下部の前後動を拘束しながら視界を妨げないために基台２にネジ止めされた透明上カバー１２を設ける。これらによって用紙の左下端部付近Ｐおよび奥行きガイド１０の上側穿孔部より上部にはみ出した部分Ｑを見ながら用紙を載せることで正しく位置決め穿孔できる。実用上は多少の習熟で目視することなく手に伝わる反力感覚で正しい位置決め感触を得て作業することが出来る。
【００１６】
また、Ｂ５版、Ａ５版、Ｂ６版、Ａ６版のような小さいサイズには適宜目盛り線を付して上下方向の案内とする。規定外寸法用紙の穿孔にも配慮して従来通りセンターマーク１４はつけておく。
【００１７】
図２は本発明の変形例で直動型にして小型化を図ったものである。穿孔刃３は押棹１５によって直接押される。多少の傾斜が発生しても穿孔刃３には軸方向力以外の負荷が掛からないよう穿孔刃３の頭部は凸形・Ｔ形をしていて押棹１５の凹所の中で多少の傾斜や横移動を許容出来るよう余裕隙間をつけて抜け止めワッシャー２１によって遊合収納支承されている。ここでは梃子の原理は使えないので押棹１５の受圧面積を広くして手への加圧負荷感覚の低減をはかる。
【００１８】
本図では基台２は樹脂成型品を想定している。上下間の強度的な連結をも配慮して穿孔孔４はＵ字型した金属製インサート２０の下部部分とし、埋め込み成型した後に基台２の上部構造物とインサート２０を通し仕上機械穴加工することで精度を確保する。穿孔刃３には軸方向に長円の貫通穴を施しピン９によりストロークを規制しバネ５により開方向への付勢をしている。
【００１９】
ごみ収納部６はＤの字形の空間でその開口をごみ収納蓋７で封止する。
基台２を金属ダイキャスト製にするとインサート２０は必ずしも必要でないが穿孔孔４は鋳造後の通し仕上機械穴加工で精度を確保して鋭利な穿孔を実現する。
【００２０】
図２の場合は比較的剛構造になるので不使用時は文鎮としても便利で長辺に目盛を施すと更に物差としても使える。強度・構造上不要部は適宜鋳ぬき部をつけ軽量化を図る。
【００２１】
図３は電動式の例で角錐台に似たメトロノームのような形で机上に置かれる。紙載せ面１３は鉛直面でその面に沿わせながら下端ガイド１１に従って用紙を左へ差し込むとマイクロスイッチ２４が作動する。そしてＱ部に気をつけて用紙が正しく挿入されるよう微調整をするのと並行してモーター２２の正転でウォームとホイール２３が正転し、穿孔刃３が徐々に隙間を生め更に用紙を穿孔し、下死点に至り、次いでモーター２２の逆転でエラー! リンクが正しくありません。とホイール２３が逆転し、上死点に至り、ワンサイクルが終了する。
【００２２】
Ａ４以外のサイズの用紙を穿孔する際はスイッチ２６を押すと同様にワンサイクル作動させることが出来る。ロックした際の解除のために適宜開放手段の配慮がなされている。
【００２３】
透明上カバー１２は不透明材で代替しＰ部や小サイズ用紙目盛部などに透かし加工を施しても良く、特に基台と一体構造にするとネジなど締結部品が不要になりコンパクトに出来て意匠性が優れる。
【００２４】
左手が器用な人は本器の勝手違い品を用いるか多少は不便であるが用紙を１８０度転回し、右手に本パンチ具を持って右上端に注意して穿孔すれば作業性はあまり変わらない。
【産業上の利用可能性】
【００２５】
ここでは日本での汎用性からＪＩＳ規格Ａ４用紙を一の基準用紙とし８ｃｍ間隔の２穴を基準としたがインチサイズや他の規格用紙サイズ、穴間隔、穴数でもこの構造は応用できる。
数ミリの用紙を穿孔するような大型のパンチにもこのアイデアは応用可能で事務所における作業性向上に貢献できる。この際は水平面置きでの使用でしかもガイド高さを高く出来るので透明上カバー１２は不要になる。
【図面の簡単な説明】
【００２６】
【図１】本発明のパンチ、（Ａ）平面図、（Ｂ）Ａ-Ａ矢視図、（Ｃ）側面図
【図２】本発明の変形例、（Ａ）平面図、（Ｂ）Ｂ-Ｂ矢視図、（Ｃ）側面図
【図３】本発明の他の変形例、（Ａ）正面図、（Ｂ）側面図、（Ｃ）平面図
【符号の説明】
【００２７】
１  パンチ具
２  基台
３  穿孔刃
４  穿孔孔
５  バネ
６  ごみ収納部
７  ごみ収納蓋
８  レバーアーム
９  ピン
１０  奥行きガイド
１１  下端ガイド
１２  透明上カバー
１３  紙載せ面
１４  センターマーク
１５  押棹
１６  押しピン
１７  支点ピン
１８  底蓋
１９  スペーサー
２０  インサート
２１  抜け止めワッシャー
２２  モーター
２３  ウォームとホイール
２４  マイクロスイッチ
２５  電池
２６  スイッチ
【図１】
2009285735.tif 000003
【図２】
2009285735.tif 000004
【図３】
2009285735.tif 000005